(57)【要約】【課題】ユーザ自身が、管理者を通さなくても機器検索が行え、ユーザの検索したいタイミングでの検索や早いレスポンスが期待できるネットワーク機器検索システムを提供する。【解決手段】ユーザ側からの検索対象機器情報（例えば、ＭＡＣアドレス）とＤＨＣＰサーバの接続ログ情報（例えば、ＭＡＣＸアドレス）とを照合する手段（例えば、マッチング部）、一致する情報がある場合、当該一致する情報にＤＨＣＰアドレスレンジ情報（場所や使用者名など）を付与する手段、当該ＤＨＣＰアドレスを付与した一致する情報をユーザ側に連絡する手段、を有する。【選択図】図１
2015080151.tif 000002
【特許請求の範囲】
【請求項１】
ネットワークを介してユーザ装置、複数のネットワーク機器、ログ情報を収集するサーバ、に接続し、前記ユーザ装置からの検索対象ネットワーク機器の機器情報を受け、当該機器情報を元に、前記ネットワーク機器に関する情報を記憶する記憶手段を検索して、前記検索対象ネットワーク機器が存在するか否かを管理者装置に対して通知する検索手段を有する機器検索システムであって、
前記サーバは、
ＭＡＣアドレス、ＩＰアドレス、を含むネットワーク接続ログ情報を記憶する記憶部、を有し、
前記記憶手段は、
検索対象機器のＭＡＣアドレスに対応するＩＰアドレス、場所、を含む情報を記憶する記憶部、検索対象機器のＭＡＣアドレス、ＩＰアドレス、場所、を含む情報を含む検索機器結果情報として記憶する記憶部を有し、
前記検索手段は、
前記ユーザ装置から検索対象機器のＭＡＣアドレスを含む情報を受けたとき、当該情報を元に同一のアドレスが前記サーバのネットワーク接続ログ情報が存在するか否かを照合する手段、
前記照合手段による照合結果、前記検索対象機器のＭＡＣアドレスと一致するＭＡＣアドレスが存在する場合、前記検索対象機器が存在するとして、前記ＭＡＣアドレスに対応するＩＰアドレスを元に前記検索対象機器の接続場所を示す情報を含むデータを作成するデータ作成手段、
前記作成したデータを前記ユーザ装置へ通知する通信手段、
を有することを特徴とする、ネットワークにおける機器検索システム。
【請求項２】
請求項１に記載されたネットワークにおける機器検索システムにおいて、
前記記憶手段は、更に前記照合の処理を行う処理日、処理時間、含む処理時間情報を記憶する記憶部、前記ユーザ装置のメールアドレス、を記憶する記憶部、を有し、
前記照合する手段は、
前記ユーザ装置から検索対象機器のＭＡＣアドレスを受けたとき、当該ＭＡＣアドレスと前記サーバのＭＡＣアドレスとのマッチング処理を、前記処理時間情報を元に行うマッチング処理部、
前記マッチング処理部のマッチング処理にて、前記一致するＭＡＣアドレスが存在する場合、前記ＭＡＣアドレスに対応するＩＰアドレスを元に前記検索対象機器の存在場所を示す情報を検索し、当該場所を示す情報を含み、前記マッチング処理部にて、1回目の処理でマッチングした場合は、Ｗｅｂにて結果を表示し、
前記マッチング処理部にて、２回目以降の追跡処理でマッチングした場合は、前記ユーザ装置へ送信するデータを作成するデータ作成部、を有し、
前記通信手段は、
前記メール宛先に前記検索対象機器の存在有無を通知するメール部、を有する、
ことを特徴とするネットワークにおける機器検索システム。
【請求項３】
請求項１に記載されたネットワークにおける機器検索システムにおいて、
前記処理時間情報を記憶する記憶部は、さらに検索対象機器が存在しなかった場合、その旨を示すフラグを含み、
前記検索後における再検索時に、前記フラグを元に前記通信手段を介して、検索対象機器の存在を通知するように構成したことを特徴とするネットワークにおける機器検索システム。
【請求項４】
ネットワークを介してユーザ装置、複数のネットワーク機器、ログ情報を収集するサーバ、に接続し、前記ユーザ装置からの検索対象ネットワーク機器の機器情報を受け、当該機器情報を元に、前記ネットワーク機器に関する情報を記憶する記憶手段を検索して、前記検索対象ネットワーク機器が存在するか否かを管理者装置に対して通知する検索手段を有し、
前記サーバは、
ＭＡＣアドレス、ＩＰアドレス、を含むネットワーク接続ログ情報を記憶する記憶部、を有し、
前記記憶手段は、
検索対象機器のＭＡＣアドレスに対応するＩＰアドレス、場所、を含む情報を記憶する記憶部、検索対象機器のＭＡＣアドレス、ＩＰアドレス、場所、を含む情報を含む検索機器結果情報として記憶する記憶部を有する機器検索システムにおける機器検索方法であって、
前記検索手段は、
前記ユーザ装置から検索対象機器のＭＡＣアドレスを含む情報を受けたとき、当該情報を元に同一のアドレスが前記サーバのネットワーク接続ログ情報が存在するか否かを照合するステップ、
前記照合手段による照合結果、前記検索対象機器のＭＡＣアドレスと一致するＭＡＣアドレスが存在する場合、前記検索対象機器が存在するとして、前記ＭＡＣアドレスに対応するＩＰアドレスを元に前記検索対象機器の接続場所を示す情報を含むデータを作成するデータ作成するステップ、
前記作成したデータを前記ユーザ装置へ通知するステップ、
を有することを特徴とする、ネットワークにおける機器検索方法。
【発明の詳細な説明】
【技術分野】
【０００１】
本発明は、ネットワークシステムで使用されるネットワーク機器、特に行方不明の機器や機器の最終接続場所などを検索する上で有効なネットワーク機器検索システム及びネットワーク機器検索方法に関する。
【背景技術】
【０００２】
本技術分野の背景技術として、特開２００８−４７９８７号公報（特許文献１）がある。当該公報には、「ネットワーク中継機器と、該ネットワーク中継機器にネットワークを介して接続されたホスト装置と、該ネットワーク中継機器にネットワークを介して接続されたＤＨＣＰサーバ装置と、該サーバ装置に収容された複数の端末装置とを有する固定ＩＰアドレス設定方法において、ユーザが所有する端末装置に固定ＩＰの取得を要求した時には、該端末装置から前記ホスト装置にＷｅｂより希望ネットワークアドレス、対象端末ＭＡＣアドレス、固定ＩＰ希望設定方法を選択し、前記ホスト装置は、前記ネットワーク中継機器が保持しているＩＰ−ＡＲＰテーブルからＩＰアドレス稼動情報を取得し、ネットワークアドレスのＤＨＣＰレンジの中から未稼動かつ最小のＩＰを固定ＩＰとして割当て、前記ＤＨＣＰサーバのＤＨＣＰリースレンジより割当固定ＩＰを除外し、該端末装置で自動取得設定の固定ＩＰとして設定する場合には、前記ＤＨＣＰサーバは、前記ユーザにより入力されたＭＡＣアドレスと前記割当固定ＩＰの組合わせを設定し、常に前記割当ＩＰを前記端末に割当てることを」をもって、「ＤＨＣＰ運用の固定ＩＰアドレス用レンジ、自動ＩＰ割当用レンジに分けられていたレンジの統合によるＩＰアドレスの効率的利用、ＩＰアドレス管理者のＩＰアドレス管理工数低減、およびユーザが希望する固定ＩＰの自動取得を可能する」ＤＨＣＰ環境での固定ＩＰアドレス設定方法が開示されている。
【先行技術文献】
【特許文献】
【０００３】
【特許文献１】特開２００８−４７９８７号公報
【発明の概要】
【発明が解決しようとする課題】
【０００４】
前記特許公報には、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）環境（端末が接続される毎にＩＰアドレスを割り当てるプロトコル）での固定ＩＰアドレス設定方法が開示されている。しかし、ユーザがネットワーク上に接続される特定機器の所在が分からないような場合、それを把握する手段までは記載されていない。
【０００５】
従来、このように様々なネットワーク機器を扱うネットワークシステムにおいて、そのユーザがネットワーク上に接続される特定機器の所在が分からないような場合、ユーザが管理者に対して、その都度、ユーザ装置からネットワーク機器を管理する管理装置を介して所在不明の機器のＭＡＣ（Ｍｅｄｉａ  Ａｃｃｅｓｓ  Ｃｏｎｔｒｏｌ）アドレス（ネットワークにつながる機器に固有に割り当てられた４８ビットのアドレス）や管理番号などを含むログ情報を元に検索を依頼していた。そして、当該検索依頼を受けた管理者側では、ネットワーク機器のログ情報より、ＭＡＣアドレスをキーとして、接続場所（接続エリア）を特定し、捜索を行い、その結果をユーザ側に連絡していた。
【０００６】
しかし、係る方法にあっては、ユーザより管理者へ、その都度、検索依頼する必要があり、ログ情報を元に管理者のみしかできない仕組みであるため、検索レスポンスに時間を要すると言う課題があった。
【０００７】
また、過去の接続履歴からの検索システムであるため、検索依頼したあと、つまり検索依頼時には、検索対象の機器が存在せず、しかるのち、将来的に接続される検索対象機器に関する情報を自動的に得ることができなかった。
【０００８】
そこで、本発明は、ユーザ自身が、管理者を通さなくても機器検索が行え、ユーザの検索したいタイミングでの検索や早いレスポンスが期待できるネットワーク機器検索システム及びネットワーク機器検索方法を提供する。
【０００９】
また、本発明は、検索時には、検索対象機器が存在しなかったが、その後、検索対象機器が接続されたような場合、当該検索対象機器の存在を知りえる通知、所謂、一度検索依頼すれば、その後に接続されたような場合、その検索対象機器の存在通知を受けることが可能なネットワーク機器検索システム及びネットワーク機器検索方法を提供する。
【００１０】
また、本発明は、最新接続エリアを特定することにより、例えば棚卸しなど、機器の発見時期の短縮化が可能なネットワーク機器検索システム及びネットワーク機器検索方法を提供する。
【課題を解決するための手段】
【００１１】
上記課題を達成するために、本発明は、ユーザ側からの検索対象機器に関する情報（例えば、ＭＡＣアドレス）とネットワーク情報ログ（例えば、ネットワークスイッチ機器の接続ログ）とを照合する手段、照合結果、一致する情報がある場合、当該一致する情報のアドレスにネットワーク接続場所情報を付与する手段、当該ネットワーク接続場所情報を付与した情報をユーザ側に連絡する手段、を有する。
【００１２】
また、一致する情報がない場合には、当該検索対象機器に関する情報を検索機器結果履歴として記憶する手段、検索後に一致する情報を有する検索対象機器が存在した場合、当該検索対象機器に関する情報を作成（例えば、メールデータ作成）し、ユーザ側に通知する手段、を有する。
【００１３】
前記照合する手段は、処理時間テーブルに設定された処理時間で処理する。
【００１４】
例えば、本願発明のネットワークにおける機器検索システムは、
ネットワークを介してユーザ装置、複数のネットワーク機器、ログ情報を収集するサーバ、に接続し、前記ユーザ装置からの検索対象ネットワーク機器の機器情報を受け、当該機器情報を元に、前記ネットワーク機器に関する情報を記憶する記憶手段を検索して、前記検索対象ネットワーク機器が存在するか否かを管理者装置に対して通知する検索手段を有する機器検索システムであって、
前記サーバは、
ＭＡＣアドレス、ＩＰアドレス、を含むネットワーク接続ログ情報を記憶する記憶部、を有し、
前記記憶手段は、
検索対象機器のＭＡＣアドレスに対応するＩＰアドレス、場所、を含む情報を記憶する記憶部、検索対象機器のＭＡＣアドレス、ＩＰアドレス、場所、を含む情報を含む検索機器結果情報として記憶する記憶部を有し、
前記検索手段は、
前記ユーザ装置から検索対象機器のＭＡＣアドレスを含む情報を受けたとき、当該情報を元に同一のアドレスが前記サーバのネットワーク接続ログ情報が存在するか否かを照合する手段、
前記照合手段による照合結果、前記検索対象機器のＭＡＣアドレスと一致するＭＡＣアドレスが存在する場合、前記検索対象機器が存在するとして、前記ＭＡＣアドレスに対応するＩＰアドレスを元に前記検索対象機器の接続場所を示す情報を含むデータを作成するデータ作成手段、
前記作成したデータを前記ユーザ装置へ通知する通信手段、
を有することを特徴とする。
【００１５】
本発明のネットワークにおける機器検索システムにおいて、
前記記憶手段は、更に前記照合の処理を行う処理日、処理時間、最終検索実行日含む処理時間情報を記憶する記憶部、前記ユーザ装置のメールアドレス、を記憶する記憶部、を有し、
前記照合する手段は、
前記ユーザ装置から検索対象機器のＭＡＣアドレスを受けたとき、当該ＭＡＣアドレスと前記サーバのＭＡＣアドレスとのマッチング処理を、前記処理時間情報を元に行うマッチング処理部、
前記マッチング処理部のマッチング処理にて、前記一致するＭＡＣアドレスが存在する場合、前記ＭＡＣアドレスに対応するＩＰアドレスを元に前記検索対象機器の存在場所を示す情報を検索し、当該場所を示す情報を含み、
前記マッチング処理部にて、1回目の処理でマッチングした場合は、Ｗｅｂにて結果を表示し、
前記マッチング処理部にて、２回目以降の追跡処理でマッチングした場合は、前記ユーザ装置へ送信するデータを作成するデータ作成部、を有し、
前記通信手段は、
前記メール宛先に前記検索対象機器の存在有無を通知するメール部、を有する。
ことを特徴とする。
【００１６】
本発明のネットワークにおける機器検索システムにおいて、
前記処理時間情報を記憶する記憶部は、さらに検索対象機器が存在しなかった場合、その旨を示すフラグを含み、
前記検索後における再検索時に、前記フラグを元に前記通信手段を介して、検索対象機器の存在を通知するように構成したことを特徴とする。
【００１７】
ネットワークにおける機器検索方法は、
ネットワークを介してユーザ装置、複数のネットワーク機器、ログ情報を収集するサーバ、に接続し、前記ユーザ装置からの検索対象ネットワーク機器の機器情報を受け、当該機器情報を元に、前記ネットワーク機器に関する情報を記憶する記憶手段を検索して、前記検索対象ネットワーク機器が存在するか否かを管理者装置に対して通知する検索手段を有し、
前記サーバは、
ＭＡＣアドレス、ＩＰアドレス、を含むネットワーク接続ログ情報を記憶する記憶部、を有し、
前記記憶手段は、
検索対象機器のＭＡＣアドレスに対応するＩＰアドレス、場所、を含む情報を記憶する記憶部、検索対象機器のＭＡＣアドレス、ＩＰアドレス、場所、を含む情報を含む検索機器結果情報として記憶する記憶部を有する機器検索システムにおける機器検索方法であって、
前記検索手段は、
前記ユーザ装置から検索対象機器のＭＡＣアドレスを含む情報を受けたとき、当該情報を元に同一のＭＡＣアドレスが前記サーバのネットワーク接続ログ情報が存在するか否かを照合するステップ、
前記照合手段による照合結果、前記検索対象機器のＭＡＣアドレスと一致するＭＡＣアドレスが存在する場合、前記検索対象機器が存在するとして、前記ＭＡＣアドレスに対応するＩＰアドレスを元に前記検索対象機器の接続場所を示す情報を含むデータを作成するデータ作成するステップ、
前記作成したデータを前記ユーザ装置へ通知するステップ、
を有することを特徴とする。
【発明の効果】
【００１８】
本発明によれば、ユーザ自身が、管理者を通さなくても機器検索が行え、ユーザの検索したいタイミングでの検索や早いレスポンスが期待できるネットワーク機器検索システム及びネットワーク機器検索方法を提供することができる。
【００１９】
また、本発明によれば、検索時には、検索対象機器が存在しなかったが、その後、検索対象機器が接続されたような場合、当該検索対象機器の存在を知りえる通知、所謂、一度検索依頼すれば、その後に接続されたような場合、その検索対象機器の存在通知を受けることが可能なネットワーク機器検索システム及びネットワーク機器検索方法を提供することができる。
【００２０】
また、本発明によれば、最新接続エリアを特定することにより、例えば棚卸しなど、機器の発見時期の短縮化が可能なネットワーク機器検索システム及びネットワーク機器検索方法を提供することができる。
【００２１】
上記した以外の課題、構成及び効果は、以下の実施形態の説明により明らかにされる。
【図面の簡単な説明】
【００２２】
【図１】本発明のネットワーク機器検索システムの構成例を示す図である。
【図２】本発明の機器検索システムにおける処理を模式的に示す図である。
【図３】検索機器情報ＤＢの検索機器テーブル例を示す図である。
【図４】ネットワーク接続ログ情報ＤＢのネットワーク接続ログテーブル例を示す図である。
【図５】ネットワーク接続場所情報ＤＢのネットワーク接続場所テーブル例を示す図である。
【図６】メール送信先情報ＤＢのメール送信先テーブル例を示す図である。
【図７】検索機器結果情報ＤＢの検索機器結果テーブル例を示す図である。
【図８】本発明の検索処理システムの検索部における検索処理手順の概略を説明するフローチャートである。
【発明を実施するための形態】
【００２３】
以下、実施例を、図面を用いて説明する。本実施例では、機器検索システムを、ユーザ装置、ＤＨＣＰサーバ、各種機器を接続するネットワークシステム、各種機器を管理する管理装置、を連携して構築する例を説明する。
【実施例】
【００２４】
図１は、本発明のネットワーク機器検索システムの構成例を示す図である。同図において、機器検索システム３０は、各装置や機器（ユーザ装置１０、管理者装置２０、サーバ５０、ネットワークシステム機器７０、各システム（メールシステム６０、資産管理システム（機器管理システム）８０、などにネットワーク４０を介して接続する。
【００２５】
そして、機器検索システム３０は、検索対象機器情報受信・登録部３０１、検索結果通知部３０２、演算部（制御部）３０３、記憶部３０５、を有する。
【００２６】
検索対象機器情報受信・登録部３０１は、ユーザ装置１０から入力される検索対象機器に関する情報、例えば、ＭＡＣアドレスを受信し、記憶部３０５、機器情報ＤＢ３０５１に登録する機能を有する。
【００２７】
検索結果通知部３０２は、演算部３０３にて、ユーザ装置１０のＭＡＣアドレスを受け、検索処理部３０３１２（後述）の検索処理にて、当該アドレスに一致するＭＡＣアドレスの有無検索し、マッチング処理部３０３１１（後述）のマッチング処理にて、１回目の検索時に一致する、つまりマッチングするアドレスがある場合には、Ｗｅｂで検索結果を表示し、２回目以降でマッチングするアドレスがある場合には、当該ＭＡＣアドレスに対応するＩＰアドレスから接続場所に関する情報を元に、送付データ（メールデータ）作成処理部３０３１４にて、ＭＡＣアドレス、ＩＰアドレス、接続場所、の各情報を含む検索機器結果テーブルから所望の送信するデータを作成し、当該作成したデータを検索結果（メールデータ）として、ネットワーク４０を介してユーザ装置１０、及び／又は資産管理システム（機器管理システム）８０に送信する機能を有する。
【００２８】
演算部（制御部）３０３は、検索部３０３１を有する。検索部３０３１は、マッチング処理部３０３１１、検索処理部３０３１２、バッチ処理部３０３１３、メールデータ作成処理部３０３１４、を有する。各部の処理については後述する。
【００２９】
記憶部３０５は、機器情報ＤＢ３０５１、ネットワーク接続ログ情報ＤＢ３０５２、ネットワーク接続場所情報ＤＢ３０５３、メール送付先情報ＤＢ３０５４、検索機器結果情報ＤＢ３０５５、処理時間情報ＤＢ３０５６、を有する。各ＤＢに格納されるテーブルについては後述する。
【００３０】
図２は、本発明の機器検索システムにおける処理を模式的に示す図である。
【００３１】
同図において、検索部３０３１は、ユーザ装置１０の検索対象機器情報を受信すると、当該情報のＭＡＣアドレス（例えば、「00:aa:11:bb:22:cc」）がネットワーク接続ログ情報ＤＢ３０５２（ネットワーク接続ログテーブル）に存在するか否か、ＭＡＣアドレス同士のマッチング処理を行う。
【００３２】
その結果、一致するＭＡＣアドレス（「00:aa:11:bb:22:cc」）が存在する場合には、当該ＭＡＣアドレスに対応するＩＰアドレス「（111.222.334）」がある場合には、ネットワーク接続場所情報ＤＢ３０５３（ネットワーク接続場所テーブル）から、当該ＩＰアドレスに対応する接続場所「ａＡａビル１０Ｆ」を元に、ＭＡＣアドレス、ＩＰアドレス、などを登録した検索機器結果テーブルを検索し、またユーザ装置１０や資産管理システム８０などに送信するデータを作成する各処理を行う。
【００３３】
一致するＭＡＣアドレスが存在しない場合には、バッチ処理を行う。このバッチ処理は、例えば、処理時間情報ＤＢ３０５６（処理時間テーブル）の情報に基づき、指定期間中、毎日バッチ検索処理を行う。
【００３４】
送信するデータは、例えば、メール送信先情報ＤＢ３０５４（メール送信先テーブル）の情報に基づきメール送信する。
【００３５】
図３は、検索機器情報ＤＢの検索機器テーブル例を示す図である。
同図において、検索機器情報ＤＢ３０５１の検索機器テーブルを記憶する。検索機器テーブルは、ＭＡＣアドレス３０５１１（00:aa:11:bb:22:cc、・・・）、管理番号３０５１２（A13579、・・・）、製品番号３０５１３（25894565、・・・）、型式３０５１４（KSA-MP、・・・）、最終検索実行日３０５１５（YYYY/MM/DD、・・・）、を有する。
【００３６】
図４は、ネットワーク接続ログ情報ＤＢのネットワーク接続ログテーブル例を示す図である。
同図において、ネットワーク接続ログ情報ＤＢ３０５２は、ネットワーク接続ログテーブルを記憶する。ネットワーク接続ログテーブルは、ＭＡＣアドレス３０５２１（00:aa:11:bb:22:cc、・・・）、ＩＰアドレス３０５２２（111.222.334、・・・）、日付３０５２３（YYYY/MM/DD、・・・）、を有する。
【００３７】
図５は、ネットワーク接続場所情報ＤＢのネットワーク接続場所テーブル例を示す図である。
同図において、ネットワーク接続場所情報ＤＢ３０５３は、ネットワーク接続場所テーブルを記憶する。ネットワーク接続場所テーブルは、ＩＰアドレス３０５３１（111.222.334、・・・）、接続場所３０５３２（ａＡａビル１０Ｆ、・・・）、日付３０５３３（YYYY/MM/DD、・・・）、を有する。
【００３８】
図６は、メール送信先情報ＤＢのメール送信先テーブル例を示す図である。
同図において、メール送信先情報ＤＢ３０５４は、メール送信先テーブルを記憶する。メール送信先テーブルは、メールアドレス３０５４１（abc@xxx.com、・・・）、メールＩＤ３０５４２（日立  太郎）、名前３０５４３（日立  太郎）、を有する。
【００３９】
図７は、検索機器結果情報ＤＢの検索機器結果テーブル例を示す図である。
同図において、検索機器結果情報ＤＢ３０５５は、検索機器結果テーブルを記憶する。検索機器結果テーブルは、ＭＡＣアドレス３０５５１（00:aa:11:bb:22:cc、・・・）、管理番号３０５５２（A13579、・・・）、製品番号３０５５３（25894565、・・・）、型式３０５５４（KSA-MP）、ＩＰアドレス３０５５５（111.222.334、・・・）、接続場所３０５５６（ａＡａビル１０Ｆ、・・・）、日付３０５５７（YYYY/MM/DD、・・・）、最終検索実行日３０５５８（YYYY/MM/DD、・・・）、を有する。
【００４０】
図８は、本発明の検索処理システムの検索部における検索処理手順の概略を説明するフローチャートである。
【００４１】
同図において、ステップＳ８０１にて、処理を開始する。
このとき、検索者（ユーザ）は、ステップＳ８０２にて、ユーザ装置１０を介して、Ｗｅｂ画面より、検索対象機器の検索機器情報（ＭＡＣアドレス）を入力し、当該情報を検索システム側に送信する。
【００４２】
すると、検索システム側は、以下のような処理を実行する。まず、ステップＳ８０３にて、ユーザ装置１０からの検索対象機器の情報を受信し、当該情報を検索機器情報ＤＢ３０５１に登録する処理を行う。
【００４３】
次に、ステップＳ８０４にて、検索機器情報がネットワーク接続ログ情報ＤＢ３０５２のネットワーク接続ログテーブルに存在するか否かオンライン検索にて照合する。この照合は、一致するＭＡＣアドレスが有るか無いかのマッチング処理にて行う。
【００４４】
次いで、ステップＳ８０５にて、検索・照合結果を判定し、検索対象機器の有無判定、つまりＭＡＣアドレスのマッチング処理を行う。ここで、マッチング処理の結果、１回目でマッチングするＭＡＣアドレスがある場合には、ステップＳ８０９にて、Ｗｅｂで検索結果を表示する。２回目以降でマッチングするＭＡＣアドレスがある場合は、次のステップへ進む。
【００４５】
ステップＳ８０５にて、検索対象機器が存在する場合（有の場合）には、ステップＳ８０６に進み、送付データ（メールデータ）を作成する処理を行う。送付データ（メールデータ）は、メール送付先情報ＤＢ３０５４の検索機器結果テーブルの情報（ＭＡＣアドレス、管理番号、製品番号、型式、ＩＰアドレス、接続場所、日付、最終検索実行日など）を元に行う。
【００４６】
次に、ステップＳ８０７にて、当該データを検索機器結果情報ＤＢ３０５５のメール送付先テーブルのメールアドレスを元にユーザ装置を介して検索者（ユーザ）側にメールにて通知する。
そして、ステップＳ８０８にて、処理を終了する。
【００４７】
上述した実施例によれば、ユーザが管理者を通さなくても検索を行えるようになるため、ユーザの検索したいタイミングでの検索や早いレスポンスが可能となる。また、接続ログを蓄積するため、将来的に接続された際の事後通知が可能となる。また、最新接続エリアの特定することで、棚卸時など機器の発見時間の短縮化が可能である。また、管理者なしでの運用のため、検索対応工数の削減が可能である。また、接続履歴からの検索だけでなく、日々情報を蓄積することで、一度システムに登録すれば、事後通知など自動運用とすることで工数削減を図ることが可能である。また、他拠点などより持ち込まれた機器(登録していない機器)が接続された際に通知することで、未然にウイルス等のリスクを下げることが可能である。
【００４８】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００４９】
１０  ユーザ装置
２０  管理者装置
３０  機器検索システム
３０１  検索対象機器情報受信・登録部
３０２  検索結果通知部（通信手段）
３０３  演算部（制御部）
３０３１  検索部（検索手段）
３０３１１  マッチング処理部
３０３１２  検索処理部
３０３１３  バッチ処理部
３０３１４  データ（メールデータ）作成処理部
３０５  記憶部（記憶手段）
３０５１  機器情報ＤＢ
３０５２  ネットワーク接続ログ情報ＤＢ
３０５３  ネットワーク接続場所情報ＤＢ
３０５４  メール送付先情報ＤＢ
３０５５  検索機器結果情報ＤＢ
３０５６  処理時間情報ＤＢ
４０  ネットワーク
５０  ＤＨＣＰサーバ
６０  メールシステム
８０  資産管理システム（機器管理システム）
【図１】
2015080151.tif 000003
【図２】
2015080151.tif 000004
【図３】
2015080151.tif 000005
【図４】
2015080151.tif 000006
【図５】
2015080151.tif 000007
【図６】
2015080151.tif 000008
【図７】
2015080151.tif 000009
【図８】
2015080151.tif 000010